(57)【要約】【構成】プレゼント情報等の必要情報の配信を希望する利用者と当該配信を行うメ−ルサ−バ２との間を通信網４で結び電子メ−ルの送受信を行うシステムであって、利用者１とメ−ルサ−バ２とはメ−ルアドレス中のドメイン名を省略しても電子メ−ルの送受信を可能としメ−ルサ−バ２には複数の当該利用者に応じた携帯端末３Ａ〜Ｃを接続してあり、利用者１は送信しようとしている電子メ−ルにおけるメ−ルアドレス中のドメイン名を省略してメ−ルサ−バ２の指定された携帯端末３Ａ〜Ｃに電子メ−ルを送信し、メ−ルサ−バ２では該当の携帯端末３Ａ〜Ｃから送信されてきた電子メ−ルに利用者が欲している必要情報を入力して電子メ−ルとして利用者１に送信する携帯端末におけるドメイン名省略の電子メ−ル送受信システム。【効果】ユーザは面倒なアットマークも又それに続くドメイン名も入力する必要がなく希望する情報を入手することができ、メ−ルサ−バでは提携先の企業サイドのホームページのＵＲＬ情報などを配信することができる。【選択図】        図１
2004166084.tif 000002
【特許請求の範囲】
【請求項１】
企業情報、キャンペ−ン情報又はプレゼント情報等の必要情報の配信を希望する利用者と当該配信を行うメ−ルサ−バとの間を通信網で結び電子メ−ルの送受信を行うシステムであって、当該利用者とメ−ルサ−バとはメ−ルアドレス中のドメイン名を省略しても電子メ−ルの送受信を可能とし、当該メ−ルサ−バには複数の当該利用者に応じた携帯端末を接続してあり、利用者は送信しようとしている電子メ−ルにおけるメ−ルアドレス中のドメイン名を省略して前記メ−ルサ−バの指定された携帯端末に電子メ−ルを送信し、当該メ−ルサ−バでは該当の携帯端末から送信されてきた電子メ−ルに利用者が欲している必要情報を入力して当該利用者に送信することを特徴とする携帯端末におけるドメイン名省略の電子メ−ル送受信システム。
【発明の詳細な説明】
【０００１】
【発明の属する技術分野】
本発明は、携帯端末におけるドメイン名省略の電子メ−ル送受信システムに関し、特に、メ−ルアドレス中のドメイン名を省略して、企業情報、キャンペ−ン情報又はプレゼント情報等の必要情報を利用者に配信することができる電子メ−ルの送受信システムに関する。
【０００２】
【従来の技術】
電子メ−ルのメ−ルアドレスは、一般に、ユ−ザ名＠ドメイン名で構成されている。
その為に、電子メ−ルを送受信するには、通常は、当該通信業者のドメイン名を入力する必要があり、電子メ−ルのヘッダ−部の宛先を示す例えばＴＯ：の箇所にはアットマークに続けてドメイン名も入力する必要がある。
しかし、ドメイン名の入力自体が煩わしいだけでなく、特に、携帯電話機では、小型化等の要請から入力キ−も小型化されているので、入力が煩わしく、例えば、キャンペ−ン情報やプレゼント情報希望する欲しい情報を得たいと思い、それに応募したいと思っても、当該アットマークに続くドメイン名の入力を煩わしく感じて、当該応募を辞退するということが多い。
【０００３】
【発明が解決しようとする課題】
本発明は、かかる従来技術の有する欠点を解消した技術を提供することを目的としたものである。
本発明の他の目的および新規な特徴は以下の明細書及び図面の記載からも明らかになるであろう。
【０００４】
【課題を達成するための手段】
本発明は、企業情報、キャンペ−ン情報又はプレゼント情報等の必要情報の配信を希望する利用者と当該配信を行うメ−ルサ−バとの間を通信網で結び電子メ−ルの送受信を行うシステムであって、当該利用者とメ−ルサ−バとはメ−ルアドレス中のドメイン名を省略しても電子メ−ルの送受信を可能として、当該メ−ルサ−バには複数の当該利用者に応じた携帯端末を接続してあり、利用者は送信しようとしている電子メ−ルにおけるメ−ルアドレス中のドメイン名を省略して前記メ−ルサ−バの指定された携帯端末に電子メ−ルを送信し、当該メ−ルサ−バでは該当の携帯端末から送信されてきた電子メ−ルに利用者が欲している必要情報を入力して当該利用者に送信することを特徴とする携帯端末におけるドメイン名省略の電子メ−ル送受信システムに係わるものである。
【０００５】
【実施の最良の形態】
図面は、本発明の実施例を示し、図１は、本発明のシステムの一例全体構成図、図２は、本発明に使用される携帯電話機の一例構成図、図３は、メ−ルサ−バの一例ブロック図、図４は、メ−ルサ−バの操作の一例フロー図である。
【０００６】
【実施例】
図１に示すように、企業情報、キャンペ−ン情報又はプレゼント情報等の必要情報の配信を希望する利用者は、その携帯電話機１からメ−ルサ−バ２における携帯電話機３へと電子メ−ルＭ１を送信する。
当該利用者の携帯電話機１とメ−ルサ−バ２における携帯電話機３とは、通信網４によりネットワ−クされている。当該通信網４は、デジタル通信網やインターネット通信網などにより構成されている。メ−ルサ−バ２における携帯電話機３と当該通信網４との間は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の通信手段５を介してもよい。
当該電子メ−ルＭ１は、例えば、メ−ルヘッダ部とメ−ルボディ部とから構成される。当該メ−ルヘッダ部は、例えば、受信人の電子メ−ルアドレスと送信人の電子メ−ルアドレスと電子メ−ルの表題（件名）とから構成される。又、メ−ルボディ部は、電子メ−ル本文を記述する部分である。
図１には、当該メ−ルＭ１の一例を示す。当該メ−ルＭ１におけるＴＯ：の部分は、上記受信人（受取人）の電子メ−ルアドレスで、前述のように、通常は、ユーザ名の後に、アットマークに続けてドメイン名も入力する必要がある。
しかし、本発明では、図示のように、アットマークも又それに続くドメイン名も入力する必要がなく、図示のように、これらアットマーク及びドメイン名を省略し、ユ−ザ名の文字列例えばここで例示のａｂｃだけを入力すればよい。
当該ａｂｃの宛先は、指定のメ−ルアドレスで、メ−ルサ−バ２に接続された複数の携帯電話機３・・・の中の例えばａｂｃの携帯電話機を指定してメ−ルを送信することになる。
図示のように、メ−ルサ−バ２では、そのメ−ル処理装置Ｐに、個々に、例えば接続ケ−ブル６を用いて、複数の携帯電話機３を接続しておく。当該携帯電話機３は、個々に異なったメ−ルアドレスを有している。例えば、ａｂｃの他に、ｄｅｆ、ｇｈｉ・・・のようなメ−ルアドレスを有している。
上記のように、ａｂｃのメ−ルアドレスを指定して即ちメ−ルサ−バ２における複数の携帯電話機３の中のａｂｃのメ−ルアドレスを有した携帯電話機３Ａを指定してメ−ルを送信することにより、メ−ルサ−バにおける複数の携帯電話機の中のａｂｃのメ−ルアドレスを有した携帯電話機３Ａが選択されてその携帯電話機に上記の送信メールが受信されるようになっている。
当該電子メールＭ１では、図１に示すように、送信人の電子メ−ルアドレスの部分には、携帯電話機所有者の電子メ−ルアドレスを入力する。ここでは、ｘｙｚで、その電子メ−ルアドレスを例示してある。又、図示のように、電子メ−ルの表題（件名）や電子メ−ル本文を記述する部分であるメ−ルボディ部は空白にしておいてよい。
当該電子メ−ルＭ１の送信があったときには、メ−ルサ−バ２におけるメ−ル処理装置（コンピュ−タ）Ｐでは、当該個々の携帯電話機３を通じて新着メールを取込み、送信元メ−ルアドレスａｂｃに対して、例えば、企業情報で有れば、その企業のＵＲＬ（Ｕｎｉｆｏｒｍ  Ｒｅｓｏｕｒｃｅ  ｌｏｃａｔｏｒ）などをメール本文に書き込み、送信メールを作成するが、当該コンピュ−タがそのプログラムにより、ユーザが何の情報を希望しているのかを判別して、それに応じた送信メールを作成する。即ち、送信元のＴＯ：箇所を判読して、ユーザが例えばａｂｃアドレスを指定してきた時には、企業情報を希望していることを判別して、その旨の送信メールを作成するようにすることができる。
【０００７】
当該メ−ルの送信は、送信元のドメイン名と宛先のドメイン名とが一致していれば可能である。
図示例で言えば、ａｂｃのユ−ザ名のユ−ザとｄｅｆのユ−ザ名のユーザとｇｈｉのユーザ名のユーザとの間のドメイン名が同じであれば、ａｂｃの他にｄｅｆのユ−ザ名のユーザやｇｈｉのユーザ名のユーザもドメイン名を省略して同様にして電子メールを送信できる。
本発明では、当該送信元のドメイン名と宛先のドメイン名とが一致していることを前提として、当該メ−ルサ−バ２における複数の携帯電話機３には、個々に、例えば、プレゼント情報はａｂｃのメ−ルアドレスを有する携帯電話機３Ａが選択されるように、又、企業情報はｄｅｆのメ−ルアドレスを有する携帯電話機３Ｂが選択されるように、更に、キャンペ−ン情報はｇｈｉのメ−ルアドレスを有する携帯電話機３Ｃが選択されるようにしておくことができる。即ち、利用者は、例えば、プレゼント情報を希望する場合には、メ−ルサ−バのａｂｃのメ−ルアドレスを有する携帯電話機３Ａが選択されるように、又、企業情報を希望する場合には、ｄｅｆのメ−ルアドレスを有する携帯電話機３Ｂが選択されるように、更には、キャンペ−ン情報を希望する場合には、ｇｈｉのメ−ルアドレスを有する携帯電話機３Ｃが選択されるようにすることができる。この場合も、電子メ−ルＭ１におけるＴＯ：の部分をアットマークも又それに続くドメイン名も省略してａｂｃ、ｄｅｆ、又は、ｇｈｉと指定してメールを送信すればよい。
【０００８】
メ−ルサ−バ２にけるメ−ル処理装置（コンピュ−タ）Ｐでは、当該個々の携帯電話機３を通じて新着メールを取込み、送信元メ−ルアドレスに対して、図示のように、企業のホームページのＵＲＬ（Ｕｎｉｆｏｒｍ  Ｒｅｓｏｕｒｃｅ  ｌｏｃａｔｏｒ）などをメ−ル本文に書き込む他、ＴＯ：とＦＲＯＭ：の変換等の必要処理を行い、事案に即した送信用メ−ルＭ２を作成する。メ−ル本文には、例えば、プレゼント情報の場合には、当選を知らせたりするメッセ−ジが書き込まれる。
【０００９】
これにより、ユーザは、希望する情報を入手することができ、又、メ−ルサ−バでは、提携先の企業サイドのホームページのＵＲＬ情報などを配信することができ、それも、面倒なアットマークも又それに続くドメイン名も入力する必要がなく行うことが出来、又、迷惑メールも排除できる。
【００１０】
図２に示す携帯電話機１の構成の一例を、図１と共に説明する。
携帯電話機１のキー・ダイヤル１００は、操作キー等で構成されており、そのキー操作で、ＣＰＵ（中央演算処理装置）１０１に対して電子メールの送信画面を表示ドライバー１０２を経て表示パネル１０３に表示させる。
当該操作キー１００を用いて、ユーザは、図１に示すように、その表示画面に表示された電子メ−ルＭ１におけるＴＯ：部分の受信人の電子メ−ルアドレスに、指定するメ−ルアドレスのアットマーク及びドメイン名を省略して、単に例えばａｂｃと書き込みする。又、ＦＲＯＭ：の部分には送信人のメ−ルアドレスを同様に操作キーにて入力する。図示では、アットマーク及びドメイン名を省略した形で例えばｘｙｚのみでアドレスを記載しているが、アットマーク及びドメイン名を省略しない形で送信してもよい。当該電子メ−ルＭ１において、電子メ−ルの表題（件名）及び電子メ−ル本文を記述する部分は空白としておけばよい。
電子メ−ル作成後には、ＣＰＵ１０１と接続されたデータ処理回路１０４、送受信回路１０５及びアンテナ１０６を介して、前記のようにメールサーバ２の指定された携帯電話機に当該メールが送信される。
メールサーバ２におけるコンピュ−タＰでは、当該メールが取り込まれ、次いで、所定のメールＭ２が作成され、送信元のユーザに送信される。図１に示すように、メールＭ２においては、ＴＯ：における文字列とＦＲＯＭ：における文字列が変換され、又、件名や本文に所定事項が書き込まれて、送信元のユーザに送信される。
図２に示すように、当該携帯電話機のアンテナ１０６からは、電子メ−ルＭ２に関する送信信号が入力され、当該信号が送受信回路１０５に入力され、データ処理回路１０４でクロック制御され、電子メール画面の映像信号がＣＰＵに出力される。
図示のように、該データ処理回路１０４は、ＣＰＵ１０１と接続され、又、ＤＳＰ（Ｄｉｇｉｔａｌ  Ｓｉｇｎａｌ  Ｐｒｏｃｅｓｓｏｒ、高速演算処理型マイクロプロセッサ）１０７と接続されており、アンテナ１０６により送受信回路１０５に受信された送信信号の無線波は、データ処理回路１０４にて、映像信号と音声信号に分離されて、ＣＰＵ１０１からの指令に基づいて各々クロック制御を受け、映像信号がＣＰＵ１０１に出力され、音声信号がＤＳＰ０７に出力される。電子メール送信の場合には、電子メール画面の映像信号がＣＰＵ１０１に出力される。
当該ＤＳＰ１０７には、音声コーデック１０８が接続され、該音声コーデック１０８には、リンガ１０９、マイク１１０が接続され、又、変調送信回路１１１及び変調復調回路１１２を介してスピーカ１１３が接続されている。ＤＳＰ１０７に入力された音声信号は、音声処理後、音声コーデック１０８にてデジタル／アナログ（Ｄ／Ａ）変換され、変調送信回路１１１及び受信復調回路１１２を介してスピーカに出力され、又、リンガ１０９にてベルなどを鳴らす。
電子メールの受信を当該リンガ１０９にて知ることが出来る。
マイク１１０からの音声入力信号は、音声コーデック１０８にてアナログ／デジタル（Ａ／Ｄ）変換され、ＤＳＰ１０７、データ処理回路１０４及び送受信回路１０５を介してアンテナ１０６から発信される。
ＣＰＵ（中央演算処理装置）１０１は全体制御を行う。記憶装置の一部であるＲＯＭ（ＲｅａｄＯｎｌｙ  Ｍｅｍｏｒｙ）１１４には、制御プログラムが記録されている。ＲＡＭ１１５には、短縮ダイヤルなどのユーザが入力した各種データ類が記録されている。又、当該ＲＡＭ１１５には、電子メ−ルや撮影された画像等が保存記憶される。
当該携帯電話機は、カメラ付き携帯電話機などにより構成されていてもよい。
そのカメラ機能に基づいて、、被写体を撮像手段のＣＣＤカメラ１１６により撮影すると、当該デジタル信号が信号処理回路１１７に入力され、当該信号処理回路で信号処理されて、ＣＰＵ（中央演算処理装置）１０１を経て、ドライバー１０２に出力され、表示パネル１０３にて撮影映像が表示されるようになっているので、上記電子メールの添付ファイルとして撮影画像を送信してもよい。例えば、キャンペーンなどでは、画像情報も有効である。
【００１１】
図３に示すメールサーバ２における当該処理装置Ｐの一例を説明する。
当該処理装置（メール処理サーバ）Ｐは、中央処理装置（ＣＰＵ）２００、入力装置２０１、記憶装置２０２、出力装置２０３、通信制御装置２０４を備え、更には、コントロール装置２０５と操作パネル２０６と表示装置２０７を備えてなる。
当該中央処理装置（ＣＰＵ）２００は、当該システム全体の操作・情報を制御する。
入力装置２０１は、本体へのデータの入力を行う。又、各種操作の選択を行う。本体に実装されるか、又は外部入力装置により操作され、リモートコントロール（リモコン）により操作することができる。操作入力は、テンキーやリモコンのような入力装置でも、又、表示画面に指で操作する形態でもよい。
記憶装置２０２は、例えば、ＲＯＭ（Ｒｅａｄ  Ｏｎｌｙ  Ｍｅｍｏｒｙ）とＲＡＭ（Ｒａｎｄｏｍ  Ａｃｓｅｓｓ  Ｍｅｍｏｒｙ）とで構成され、図示のように、データベース（ＤＢ）２０２０を備えているとよい。ＲＯＭは、操作コマンドに関するメニュー画面や本体プログラム等を格納する記録部である。ＲＡＭは、利用者が入力装置や表示装置から入力したパスワードなどを格納記録する。
当該データベース（ＤＢ）２０２０は、メールアドレスなどを格納記録し、例えば、ハードディスクやＣＤーＲＯＭ等により構成される。当該データベース（ＤＢ）２０２０には、利用者のメールアドレス、ＩＤ（利用者識別符号）、パスワードなど記録されており、その照合がなされる。
通信制御装置２０４は、通信インターフェース部（通信Ｉ／Ｆ部）を有してなり、通信モデム等により構成される。
コントロール装置２０５は、例えば、多数の携帯電話機からの送信等をコントロールする。
操作パネル２０６は、前記入力装置で代替えできるが、特に、表示装置へ表示される画像の操作に使用される。
表示装置２０７は、例えば、ＣＲＴや液晶ディスプレイ（ＬＥＤ）画面からなる。
図４に示すように、携帯電話機からの電子メールＭ１が、当該処理装置２の通信制御装置２０４を介して受信されると、コントロール装置２０５や入力装置２０１を介して中央処理装置（ＣＰＵ）２００に取り込まれ、電子メールＭ２を作成し、電子メールＭ２を通信制御装置２０４を通じて送信する。
図４に示すように、当該通信制御装置２０４には複数の携帯電話機３が接続ケーブルを介して接続されている。当該携帯電話機３は、前記利用者の携帯電話機１と同様の構成であればよい。
当該通信制御装置２０４で受信された電子メールは、コントロール装置２０５でコントロールされ、操作パネル２０６を介して表示装置２０７に表示される。
【００１２】
図４に基づいて、当該メルサーバにおける操作のフローチャートを説明する。
上記のようなメールの送信があった時（Ｓ０１）、メール送信の確認が行われ、指定されたメ−ルアドレスを持つ携帯電話機にメールが送信されてきたかが即ちアドレスが一致するか否かが判断され（Ｓ０２）、指定されたメ−ルアドレスを持つ携帯電話機にメールが送信されてきたのであれば、メールをコンピュ−タに取込み（Ｓ０３）、どんな送信メールが必要かが判別され（Ｓ０４）、それに応じたメールが作成され、その際には、宛先と送信先を送信元のものとは変換し（Ｓ０５）、メールが所定のものであるか否かが判断され（Ｓ０６）、メールの送信がＯＫであれば元の送信元に本文などを書き込んだ電子メールを送信する（Ｓ０７）。
【００１３】
本発明における携帯電話機には、ＰＨＳ（パーソナル・ハンディホン・システム、簡易型携帯電話機）をも包含する。
本発明は、携帯電話機の他に、自動車電話機、コードレス電話機、テレターミナル、ＭＣＡシステム、船舶電話等の無線通信機にも適用できる。
又、カメラ付き携帯電話機を内蔵したＰＤＡ（携帯情報端末）などにも適用できる。
【００１４】
【発明の効果】
本願において開示される発明のうち代表的なものによって得られる効果を簡単に説明すれば、下記のとおりである。
すなわち、本発明によれば、次のような利点がある。
本発明によれば、ユーザは、面倒なアットマークも又それに続くドメイン名も入力する必要がなく、希望する情報を入手することができ、又、迷惑メールも排除でき、更に、メ−ルサ−バでは、提携先の企業サイドのホームページのＵＲＬ情報などを配信することができる。
【図面の簡単な説明】
【図１】図１は、本発明のシステムの一例全体構成図である。
【図２】図２は、本発明に使用される携帯電話機の一例構成図である。
【図３】図３は、本発明におけるメールサーバの一例ブロック図である。
【図４】図４は、本発明におけるメ−ルサ−バの操作の一例フロー図である。
【符号の説明】
１…携帯電話機
２…メ−ルサ−バ
３…携帯電話機
４…通信網
５…ＬＡＮ等の通信手段
１００…キー・ダイヤル
１０１…ＣＰＵ（中央演算処理装置）
１０２…表示ドライバー
１０３…表示パネル
１０４…データ処理回路
１０５…送受信回路
１０６…アンテナ
１０７…ＤＳＰ
１０８…音声コーデック
１０９…リンガ
１１０…マイク
１１１…変調送信回路
１１２…受信復調回路
１１３…スピーカ
１１４…ＲＯＭ
１１５…ＲＡＭ
１１６…ＣＣＤカメラ
１１７…信号処理回路
２００…中央処理装置（ＣＰＵ）
２０１…入力装置
２０２…記憶装置
２０３…出力装置
２０４…通信制御装置
２０５…コントロール装置
２０６…操作パネル
２０７…表示装置
２０２０…データベース（ＤＢ）
Ｐ…メールサーバの処理装置
Ｍ１…電子メ−ル
Ｍ２…電子メ−ル
【図１】
2004166084.tif 000003
【図２】
2004166084.tif 000004
【図３】
2004166084.tif 000005
【図４】
2004166084.tif 000006